(57)【要約】【課題】複数の穂木をまとめて位置合わせ出来るとともに、各穂木を容易に切断できる穂木の剪定補助具を提供すること。【解決手段】穂木５’，５’，…を挿入可能な貫通孔６，６，…を複数有する保持体２を備え、貫通孔６，６，…は、その穂木５’，５’，…の挿入口６ａ，６ａ，…と挿出口６ｂ，６ｂ，…とが、穂木５’，５’，…の長手方向に離れた位置に設けられている。【選択図】図２
2016220661.tif 000002
【特許請求の範囲】
【請求項１】
穂木を挿入可能な貫通孔を複数有する保持体を備え、前記貫通孔は、その穂木の挿入口と挿出口とが、該穂木の長手方向に離れた位置に設けられていることを特徴とする剪定補助具。
【請求項２】
前記保持体は、前記貫通孔の挿出口側が面一となった端面を有していることを特徴とする請求項１に記載の剪定補助具。
【請求項３】
前記保持体は、各貫通孔がハニカム状に配置されていることを特徴とする請求項１または２に記載の剪定補助具。
【請求項４】
前記貫通孔は、前記挿入口と前記挿出口とに渡って延びる筒状体であることを特徴とする請求項１ないし３のいずれかに記載の剪定補助具。
【請求項５】
前記保持体には、前記貫通孔と同一方向に突出して延び、各穂木の基準長さを決定する棒状部材が設けられていることを特徴とする請求項１ないし４のいずれかに記載の剪定補助具。
【請求項６】
前記棒状部材には、前記複数の貫通孔内に挿入された複数の穂木を集合させるアーム部材が設けられていることを特徴とする請求項５に記載の剪定補助具。
【発明の詳細な説明】
【技術分野】
【０００１】
本発明は、穂木の剪定作業時に使用する穂木の剪定補助具に関する。
【背景技術】
【０００２】
挿し木による山林樹木の育苗は、木材生産用に適しており、スギの生産等に用いられる。このような挿し木による山林樹木の育苗技術として、例えば、特許文献１に示されるようなものが開発されている。特許文献１に示される山林樹木の育苗技術は、苗木を室内において製造する方法であり、採穂園から採穂した穂木を挿し木し、該穂木から発根がなされた後に根の伸長を促進させる根伸長工程を行うことにより、発根後に根伸張促進、苗生育充実を図っている。
【０００３】
特許文献１に示されるような山林樹木の育苗技術では、複数の穂木の育苗状態を均一化するために、採穂した複数の穂木を挿し木する前に、予め穂木の余分な根元側を切断して各穂木の相対的な長さを切り揃える剪定作業が行われる。
【０００４】
上述のような剪定作業は、１本の穂木を所定の長さに切断し、その穂木に合わせて１本ずつ他の穂木を切断する方法や、結束バンド等により基準となる穂木に対し複数の他の穂木を位置合わせしてまとめた状態で切断する方法等が採用されている。
【先行技術文献】
【特許文献】
【０００５】
【特許文献１】特開２０１３−１７２６８５号公報（第５頁、第２図）
【発明の概要】
【発明が解決しようとする課題】
【０００６】
しかしながら、上述のような１本ずつ切断していく方法にあっては、基準となる穂木に他の穂木を１本ずつ位置合わせしなければならないので効率が悪く、剪定作業に膨大な時間を要していた。また、結束バンド等により各穂木をまとめて切断する方法にあっては、各穂木の位置合わせの時間を短縮できるものの、各穂木が密集してしまうため、各穂木を切断し難いという問題があった。
【０００７】
本発明は、このような問題点に着目してなされたもので、複数の穂木をまとめて位置合わせ出来るとともに、各穂木を容易に切断できる穂木の剪定補助具を提供することを目的とする。
【課題を解決するための手段】
【０００８】
前記課題を解決するために、本発明の穂木の剪定補助具は、
穂木を挿入可能な貫通孔を複数有する保持体を備え、前記貫通孔は、その穂木の挿入口と挿出口とが、該穂木の長手方向に離れた位置に設けられていることを特徴としている。
この特徴によれば、各穂木を各貫通孔に貫通させて挿入することで、各穂木を少なくとも各貫通孔の挿入口と挿出口との２点以上でそれぞれ保持した状態とすることができるため、まとめて各穂木を相対的に位置合わせできるとともに、各穂木同士間に所定の間隔が形成されるため、各穂木を容易に切断することができる。
【０００９】
前記保持体は、前記貫通孔の挿出口側が面一となった端面を有していることを特徴としている。
この特徴によれば、保持体における面一となった端面を切断基準面として利用できるので、各穂木の切断位置を合わせ易い。
【００１０】
前記保持体は、各貫通孔がハニカム状に配置されていることを特徴としている。
この特徴によれば、各貫通孔をコンパクトにまとめることができる。
【００１１】
前記貫通孔は、前記挿入口と前記挿出口とに渡って延びる筒状体であることを特徴としている。
この特徴によれば、穂木が筒状体の内周面に沿って案内されるため、穂木を挿入出し易い。
【００１２】
前記保持体には、前記貫通孔と同一方向に突出して延び、各穂木の基準長さを決定する棒状部材が設けられていることを特徴としている。
この特徴によれば、棒状部材により各穂木の基準長さを決定できるため、切断後の各穂木の長さを合わせやすい。
【００１３】
前記棒状部材には、前記複数の貫通孔内に挿入された複数の穂木を集合させるアーム部材が設けられていることを特徴としている。
この特徴によれば、湾曲した穂木であっても、その穂木の湾曲をアーム部材により抑えることができる。
【図面の簡単な説明】
【００１４】
【図１】実施例における穂木の剪定補助具を示す斜視図である。
【図２】筒状体内に穂木を挿入している状態を示す斜視図である。
【図３】筒状体内に挿入された穂木の穂先が基準位置に合わせられた状態を示す側面図である。
【図４】筒状体内に挿入された穂木の根元側を示す斜視図である。
【図５】筒状体内に挿入された穂木の根元側を切断している状態を示す斜視図である。
【図６】図５の状態から保持体を回転させた状態を示す斜視図である。
【図７】規格外の穂木があるときの態様を示す斜視図である。
【図８】不要な枝葉を取り除いた状態を示す正面図である。
【図９】各穂木を結束した状態を示す正面図である。
【発明を実施するための形態】
【００１５】
本発明に係る穂木の剪定補助具を実施するための形態を実施例に基づいて以下に説明する。
【実施例】
【００１６】
実施例に係る穂木の剪定補助具につき、図１から図９を参照して説明する。図４に示されるように、剪定補助具１は、スギの穂木を土中に挿し木した際に、その育苗状態を均一化させるために、挿し木する前に、予め採穂園から採穂された穂木５’，５’，…（切断前）の余分な根元５ａ，５ａ，…側を切断して各穂木５，５，…（切断後）の相対的な長さを切り揃える剪定作業を行う際に用いられるものである。この剪定作業は、複数の作業員が剪定補助具１，１，…をそれぞれ用いて大規模に行われる。
【００１７】
図１に示されるように、本実施例における剪定補助具１は、上下に貫通した貫通孔を内部に有する複数の筒状体６，６，…（本実施例では１９個）を備えた保持体２と、保持体２の外側面に固定された筒状の取付部７に対して差し込み可能な棒状部材３と、棒状部材３の所定位置に固定されたアーム部材４と、から主に構成されている。
【００１８】
筒状体６，６，…は、金属製であり、立設した状態では上下方向に延び、その上方端部に設けられた挿入口６ａ，６ａ，…から穂木５’，５’，…を挿入でき、下方端部に設けられた挿出口６ｂ，６ｂ，…側から突出するように貫通させることができるようになっている。
【００１９】
保持体２は、筒状体６，６，…がハニカム状に集合して配置され、その隣接し合う外側面同士が溶着されることで構成されており、保持体２の形状が立体的にコンパクトになっている。また、保持体２は、その平面視における外形が多角形（本実施例では略６角形）を成しており、横向きに倒した際に、該保持体２の外形を成すいずれの辺側を下にしても、机や床面等の載置面８に対して安定して載置できるようになっている（図２参照）。
【００２０】
また、保持体２は、各筒状体６，６，…が、その挿入口６ａ，６ａ，…側の端面と挿出口６ｂ，６ｂ，…側の端面とを揃えた状態で配置されており、保持体２の底面側の端面２ａ及び上面側の端面２ｂが略面一となっている（図３参照）。後述するように、保持体２の端面２ａは、各穂木５’，５’，…の根元５ａ，５ａ，…側を切断する際に、穂木５’，５’，…の切断位置を示す切断基準部としての機能を有している。また、上述のように、保持体２は、金属製であり、ある程度の重量と剛性を有する筒状体６，６，…を備えており、載置面８に対して安定して自立させることができる。
【００２１】
棒状部材３は、取付部７に対して差し込み可能な挿入部３ａと、挿入部３ａの上端から外側上方に傾斜して延びる傾斜部３ｂと、傾斜部３ｂから上方に延びる立直部３ｃと、を備えている。この棒状部材３は、挿入部３ａを傾斜部３ｂが取付部７の上端に当接するまで挿入し、取付部７の外部から螺挿される止めネジ９を締め込むことにより、保持体２の外側方に取付けられるようになっている。棒状部材３が保持体２に取付けられた状態にあっては、立直部３ｃの自由端部３ｄが保持体２の端面２ａから所定長さ（本実施例では、５０ｃｍ）上方の位置に配設されており、この立直部３ｃの自由端部３ｄは、後述する穂木５’，５’，…の穂先５ｂ，５ｂ，…の基準位置αを示している（図３参照）。尚、立直部の長さの異なる棒状部材に取り替えることで、前記所定長さを容易に変更できるようになっている。
【００２２】
アーム部材４は、棒状部材３における保持体２の端面２ａから所定長さ（本実施例では、２０ｃｍ）上方の位置に配設されている。このアーム部材４は、上面視略Ｃ字形状を成し、保持体２の外径よりも膨らんだ位置を囲うようになっている。
【００２３】
次いで、剪定補助具１における穂木５’，５’，…の剪定作業の方法について説明する。図２に示されるように、先ず、剪定補助具１を、横向きに倒した状態にする。このときには、保持体２の外形を成す辺の一部が載置面８に当接するため、保持体２が転がることなく安定的に載置面８に載置される。
【００２４】
次いで、穂木５’，５’，…の挿入作業を行う。先ず、穂木５’，５’，…を筒状体６，６，…に挿入し易くするために、穂木５’，５’，…の根元５ａ，５ａ，…側の枝葉を所定範囲取り除く。そして、穂木５’，５’，…の根元５ａ，５ａ，…を保持体２の端面２ｂ側から筒状体６，６，…に挿入する。穂木５’，５’，…の挿入時には、筒状体６，６，…の内周面６ｃ，６ｃ，…に沿って穂木５’，５’，…の根元５ａ，５ａ，…が案内されるため、穂木５’，５’，…を各筒状体６，６，…に挿入する作業を行い易くなっている。
【００２５】
また、アーム部材４は、上面視略Ｃ字形状を成しており、アーム部材４の開口部４ａを介してアーム部材４内にアクセスできるようになっている。さらに、穂木５’，５’，…は、湾曲した形状であることが多いが、アーム部材４により穂木５’，５’，…の穂先５ｂ，５ｂ，…側の湾曲を抑えることができる。尚、アーム部材４は、略Ｃ字形状に限られず、無端状の略Ｏ形状や矩形状等であってもよい。
【００２６】
また、この挿入作業は、図２及び図３に示されるように、棒状部材３における立直部３ｃの自由端部３ｄ（穂先５ｂ，５ｂ，…の基準位置α）に穂木５’，５’，…の穂先５ｂ，５ｂ，…を合わせながら、筒状体６，６，…に順次に挿入していく。この位置合わせ作業は、穂木５’，５’，…がまっすぐとなるように手で押さえながら、穂木５’，５’，…の穂先５ｂ，５ｂ，…を合わせるようにする。尚、わかりやすく説明するために、図３は、図２の状態から回転させた状態を示している。
【００２７】
筒状体６，６，…内に挿入された各穂木５’，５’，…は、各筒状体６，６，…の内周面６ｃ，６ｃ，…に沿ってそれぞれ保持されるため、複数の穂木５’，５’，…をまとめて穂先５ｂ，５ｂ，…の位置合わせ（穂木５’，５’，…の相対的な位置合わせ）作業を行うことができる。また、棒状部材３は、保持体２の外側面に取付けられており、且つ傾斜部３ｂにより、立直部３ｃが外側に張り出しているため、位置合わせ時に複数の穂木５’，５’，…との干渉することを防止できる。
【００２８】
尚、ここで言う穂木５’の穂先５ｂとは、図３に示されるように、筒状体６に穂木５’が挿入された状態で、該穂木５’がまっすぐとなるように手で押さえた際に、保持体２の端面２ａから最も遠い位置に位置する先端を指す。さらに尚、本実施例の位置合わせ作業は、穂木５’，５’，…がまっすぐとなるように手で押さえながら、穂木５’，５’，…の穂先５ｂ，５ｂ，…を合わせるようにしていたが、例えば、筒状体６，６，…に挿入し、アーム部材４により湾曲を抑えられた状態の穂木５’，５’，…において、保持体２の端面２ａから最も遠い位置に位置する先端を穂先として位置合わせするようにしてもよい。
【００２９】
さらに尚、本実施例では、穂先５ｂ，５ｂ，…の位置合わせをしながら穂木５’，５’，…を筒状体６，６，…に挿入する態様について説明したが、例えば、剪定補助具１を自立させた状態で一旦穂木５’，５’，…を筒状体６，６，…に挿入し、その後、剪定補助具１を横倒しにして穂先５ｂ，５ｂ，…の位置合わせを行うようにしてもよい。
【００３０】
このように、基準位置αに穂木５’，５’，…の穂先５ｂ，５ｂ，…に合わせると、図３及び図４に示されるように、保持体２の端面２ａ（挿出口６ｂ，６ｂ，…）側から穂木５’，５’，…の根元５ａ，５ａ，…側が貫通するようになる。前述のように、保持体２の端面２ａは、面一であり、穂木５’，５’，…の切断位置を示す切断基準部として機能していることから、保持体２の端面２ａ側から出た部分を穂木５’，５’，…の不要部分として認識することができる。
【００３１】
また、図４に示されるように、穂木５’，５’，…が筒状体６，６，…内に挿入された状態にあっては、隣接し合う穂木５’，５’，…の間に筒状体６，６，…の壁部及び内部空間の一部が介在することとなるため、隣接し合う穂木５’，５’，…の間には、所定の間隔β，β，…（１つのみ図示）が形成される。
【００３２】
続いて、図５に示されるように、穂木５’，５’，…の切断作業を行う。切断作業は、横倒し状態の保持体２における上部側の筒状体６，６，…内に挿入された穂木５’，５’，…を１本ずつ剪定鋏１０で切断していく。前述したように、各隣接し合う穂木５’，５’，…の間には、所定の間隔β，β，…がそれぞれ形成されているため、穂木５’，５’，…を切断し易くなっている。また、各穂木５’，５’，…は、各筒状体６，６，…の内周面６ｃ，６ｃ，…に沿ってそれぞれ保持されるため、穂木５’，５’，…にかかる剪定鋏１０からのせん断力により穂木５’，５’，…が位置ズレを起こすことが防止されるとともに、保持体２の端面２ａ（筒状体６，６，…における挿出口６ｂ，６ｂ，…側の端面）に沿って穂木５’，５’，…を切断することにより、切断後の穂木５，５，…の長さが揃い易い。尚、前記切断作業は、穂木５’，５’，…を１本ずつ剪定鋏１０で切断することに限られず、長尺の切断刃により各穂木５’，５’，…を１回の動作で切断するようにしてもよい。また、必ずしも保持体２の端面２ａに沿って各穂木５’，５’，…を切断することに限られず、保持体２の端面２ａを基準として所定間隔離間した位置で切断するようにしてもよい。
【００３３】
図６に示されるように、任意の穂木５’，５’，…を切断して穂木５，５，…を形成した後には、保持体２が反転するように保持体２を回転させる。これにより、切断済みの穂木５，５，…が下方に配置されるとともに、切断前の穂木５’，５’，…が上方に配置される。つまり、横倒し状態の保持体２の上方側に切断前の穂木５’，５’，…を適宜配置できるため、作業者にとって穂木５’，５’，…を切断し易い位置（載置面８から離間した位置）で常に切断作業を行うことができる。
【００３４】
このように、保持体２の端面２ａ側から露出した穂木５’，５’，…の根元５ａ，５ａ，…側（不要部分）を剪定することで、複数の穂木５，５，…同士が略同長（５０ｃｍ程度）に揃えることができる。
【００３５】
切断作業が完了した後には、切断抜けの確認作業を行う。この確認作業は、保持体２の端面２ａ側を目視することにより行われる。より具体的には、保持体２の端面２ａよりも筒状体６，６，…の内側に穂木５，５，…の根元５ａが入り込んでいないか否かを目視により確認する。例えば、図７に示されるような態様にあっては、保持体２の端面２ａ側からよりも筒状体６内に根元５ａが入り込んでいる穂木５０があるため、その穂木５０の長さが規格外（短い）であることを認識できる。尚、図示しないが、この穂木５０は、取り除かれ、長さを調整された別の穂木５に代替される。
【００３６】
次いで、図８に示されるように、穂木５，５，…を挿し木する際に、穂木５，５，…の所定範囲γ内に存在する不要な枝葉を取り除く作業を行う。この作業は、保持体２を載置面８上に自立させ、アーム部材４よりも下方側に位置する穂木５，５，…の所定範囲γ内の枝葉を取り除くことにより行われる。つまり、穂木５，５，…の切断面からおよそ２０ｃｍ上方の位置までの所定範囲γ内の不要な枝葉が取り除かれ、穂木５，５，…を土中に挿し木する部分を確保できる。このように、不要な枝葉の所定範囲γを定規等で測定することなく、保持体２を載置面８上に自立させた状態で作業を行えるため、当該作業が極めて簡便に行える。
【００３７】
次いで、図９に示されるように、剪定された穂木５，５，…を、保持体２により載置面８上に立設させた状態で、その上下を結束バンド１１，１１等で結束し、１つの穂木集合体５００とする。
【００３８】
また、剪定作業に用いられる各剪定補助具１，１，…（図示略）は、それぞれの保持体２，２，…が予め決められた数量（本実施例では１９個）の筒状体６，６，…を備えているため、剪定作業により形成された各穂木集合体５００，５００，…の穂木５，５，…の数量が同一となる。また、各剪定補助具１，１，…は、棒状部材３，３，…の長さ及び各棒状部材３，３，…に対するアーム部材４，４，…の取付位置が同一であるため、各穂木集合体５００，５００，…の穂木５，５，…の長さも同一となる。尚、各剪定補助具１，１，…で用いる筒状体６，６，…、棒状部材３，３，…、及びアーム部材４，４，…の態様を適宜変更すれば、複数種類の穂木集合体を形成することができることは言うまでもない。
【００３９】
これによれば、保持体２から取り外されても各穂木５，５，…がばらけることが無く、且つ１つの穂木集合体５００を１単位として扱えるため、持ち運びが容易となるとともに、穂木５，５，…の本数を把握し易い。また、前述のように、筒状体６，６，…の内周面６ｃ，６ｃ，…により各穂木５，５，…が案内されるため、保持体２から各穂木５，５，…を取り外しやすくなっている。尚、穂木５，５，…を結束する際には、剪定補助具１を横に倒した状態で結束作業を行ってもよい。
【００４０】
尚、前記実施例では、保持体２が筒状体６，６，…を束状に集合することで構成されているが、これに限られず、例えば、筒状体６，６，…を一列に並列した態様であってもよいし、中実の部材の上下方向に貫通孔を複数設けたもの等であってもよい。また、保持体２は、金属製に限られず、合成樹脂等より形成されていてもよい。
【００４１】
また、保持体は、上板部及び底板部を有する中空の筒状部材を備え、その上板部に穂木５’，５’，…の挿入口を複数設け、底板部に穂木５’，５’，…の挿出口を複数設けた構造であってもよい。これによれば、穂木５’，５’，…を挿入口と挿出口との少なくとも２点以上で保持できるとともに、保持体を軽量化することができる。
【００４２】
また、前記実施例では、切断作業を行った後、不要となる枝葉を取り除く作業を行っていたが、前記取除作業の後に切断作業を行っても構わない。
【００４３】
また、前記実施例では、棒状部材３を、その立直部３ｃの長さが異なる別体の棒状部材に取り替えることにより、基準位置αの位置を調整するようになっていたが、棒状部材の取付部への差し込み深度を変更することにより、基準位置αの位置を調整するようにしてもよい。棒状部材３の自由端部３ｄを基準位置αとしていたが、棒状部材３に沿って目盛を設け、その目盛りに沿って基準位置αを任意で変更してもよい。
【００４４】
また、棒状部材３は、保持体２の外側に取付けられていたが、例えば直線状の棒状部材とし、その棒状部材を保持体２の中央に固定するようにしてもよい。これによれば、保持体２の外側に棒状部材３が張り出さないため、保持体２を横倒しにした際に載置面８に対して水平に載置できる。
【００４５】
また、アーム部材４は、棒状部材３に対して固着されていたが、アーム部材に保持体２に固定するための固定部を設け、アーム部材と棒状部材３とを別体にしてもよい。
【００４６】
本実施例における剪定補助具１の棒状部材３は、保持体２に対して着脱可能となっているので、使用時以外においては、棒状部材３と保持体２とを分離して収納や持ち運びをし易くできる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
前記実施例では、剪定補助具１がスギの穂木５’，５’，…の剪定作業に用いられる態様について説明したが、挿し木用の穂木であれば、穂木の種類は、ケヤキやサクラ等であってもよい。
【符号の説明】
【００４９】
１                剪定補助具
２                保持体
２ａ              保持体の挿出口端面
２ｂ              保持体の挿入口端面
３                棒状部材
３ａ              挿入部
３ｂ              傾斜部
３ｃ              立直部
３ｄ              自由端部
４                アーム部材
４ａ              開口部
５                切断後の穂木
５’              切断前の穂木
５ａ              穂木の根元
５ｂ              穂木の穂先
６                筒状体（貫通孔）
６ａ              挿入口
６ｂ              挿出口
６ｃ              内周面
７                取付部
８                載置面
９                止めネジ
１０              剪定鋏
１１              結束バンド
５０              規格外の穂木
５００            穂木集合体
α                穂先の基準位置
β                間隔
γ                所定範囲
【図１】
2016220661.tif 000003
【図２】
2016220661.tif 000004
【図３】
2016220661.tif 000005
【図４】
2016220661.tif 000006
【図５】
2016220661.tif 000007
【図６】
2016220661.tif 000008
【図７】
2016220661.tif 000009
【図８】
2016220661.tif 000010
【図９】
2016220661.tif 000011